(57)【要約】【課題】スライドバーとして安価な丸パイプを用いることができるシャワーノズル受け装置を提供する。【解決手段】シャワーノズル受け装置本体３に装着される一方の丸パイプ抱着部材４と、一方の丸パイプ抱着部材４にばね付勢された状態で取り付けられた上下動部材７と、一方の丸パイプ抱着部材４に取り付けられ丸パイプ２の外面に対向する面が凸状で丸パイプ２と同径の円弧状の面となっており側面が丸パイプ２から遠ざかるように下方に窄まっている規制部材８と、上下動部材７に規制部材８と丸パイプ２との間で水平方向に微動可能に支持され丸パイプ２および規制部材８の円弧状の面と同径の円弧状の面を備えた鼓形ローラー９と、シャワーノズル受け装置本体３上面から突出するように設けられ上下動部材７の上端に接して上下動部材７および鼓形ローラー９をばね力に抗して押し下げる操作ボタン１０とを備える。【選択図】図１
2014084635.tif 000002
【特許請求の範囲】
【請求項１】
浴室内に立設された丸パイプに沿って上下動可能に設けられるシャワーノズル受け装置であって、
シャワーノズル受け装置はシャワーノズル受け装置本体と、
このシャワーノズル受け装置本体に支持される一方の丸パイプ抱着部材と、
この一方の丸パイプ抱着部材に結合され一方の丸パイプ抱着部材との間で丸パイプを抱着する他方の丸パイプ抱着部材と、
前記シャワーノズル受け装置本体に前記丸パイプ抱着部材の支持部とは反対側に支持されるシャワーノズル受け部材と、
前記一方の丸パイプ抱着部材にばねにより上向きに付勢されるように取り付けられた上下動部材と、
前記一方の丸パイプ抱着部材に取り付けられ前記丸パイプの外面に対向する面が凸状で丸パイプと同径の円弧状の面となっており側面が前記丸パイプから遠ざかるように下方に窄まっている規制部材と、
前記上下動部材に前記規制部材と丸パイプとの間で水平方向に微動可能に支持され前記丸パイプおよび規制部材の円弧状の面と同径の円弧状の面を備えた鼓形ローラーと、
前記シャワーノズル受け装置本体上面から突出するように設けられ前記上下動部材の上端に接して上下動部材および鼓形ローラーを前記ばね力に抗して押し下げる操作ボタンとを備え、
ばね付勢された鼓形ローラーが規制部材の上部に位置している状態において鼓形ローラーが規制部材と丸パイプに圧接してシャワーノズル受け装置本体の下方への動きが止められるように構成されていることを特徴とするシャワーノズル受け装置。
【請求項２】
前記鼓形ローラーの表面にはショットブラストが施されていることを特徴とする請求項１に記載のシャワーノズル受け装置。
【発明の詳細な説明】
【技術分野】
【０００１】
本発明は、シャワーヘッドを着脱自在に支持し、スライドバーに沿って移動可能なシャワーノズル受け装置に関する。
【背景技術】
【０００２】
特許文献１に記載されるシャワーノズル受け装置では、シャワーノズル受け装置がスライドバーにロックされた状態を解除するロック解除操作部を片手で押したとき、ロックが解除されたシャワーノズル受け装置が、スライドバーに沿って急激に落下することを防止するために、ロック解除操作部がシャワーノズル受け装置の下面側に設けられている。
【０００３】
押しボタン式のロック解除操作部を上向きに押し上げると、ロック解除操作部のカム面と解除部材のカム面との作用によって、解除部材が強制的に前進移動する。前進移動した解除部材の解除作用部カム面と被作用部に形成されたカム面が作用し、下方向ロック機構および上方向ロック機構の保持部材を移動させる。このときロック機構のころローラーが噛み込み位置から非噛み込み位置に移動してロックが解除される。
【先行技術文献】
【特許文献】
【０００４】
【特許文献１】特開２００８−１９０１２１号公報
【発明の概要】
【発明が解決しようとする課題】
【０００５】
特許文献１に記載のシャワーノズル受け装置では、スライドバーに噛み込むロック機構のローラーとして、ころローラーが用いられており、ころローラーが当接するスライドバーとして高価な角形のパイプ材が用いられているが、スライドバーとして安価な丸パイプを用いることができれば、コスト削減を図ることができる。
【０００６】
本発明の目的は、スライドバーとして安価な丸パイプを用いることができるシャワーノズル受け装置を提供することである。
【課題を解決するための手段】
【０００７】
請求項１に記載の発明は、浴室内に立設された丸パイプに沿って上下動可能に設けられるシャワーノズル受け装置であって、シャワーノズル受け装置はシャワーノズル受け装置本体と、このシャワーノズル受け装置本体に支持される一方の丸パイプ抱着部材と、この一方の丸パイプ抱着部材に結合され一方の丸パイプ抱着部材との間で丸パイプを抱着する他方の丸パイプ抱着部材と、前記シャワーノズル受け装置本体に前記丸パイプ抱着部材の支持部とは反対側に支持されるシャワーノズル受け部材と、前記一方の丸パイプ抱着部材にばねにより上向きに付勢されるように取り付けられた上下動部材と、前記一方の丸パイプ抱着部材に取り付けられ前記丸パイプの外面に対向する面が凸状で丸パイプと同径の円弧面となっており側面が前記丸パイプから遠ざかるように下方に窄まっている規制部材と、前記上下動部材に前記規制部材と丸パイプとの間で水平方向に微動可能に支持され前記丸パイプおよび規制部材の円弧面と同径の円弧面を備えた鼓形ローラーと、前記シャワーノズル受け装置本体上面から突出するように設けられ前記上下動部材の上端に接して上下動部材および鼓形ローラーを前記ばね力に抗して押し下げる操作ボタンとを備え、ばね付勢された鼓形ローラーが規制部材の上部に位置している状態において鼓形ローラーが規制部材と丸パイプに圧接してシャワーノズル受け装置本体の下方への動きが止められるように構成されているものである。
【０００８】
請求項２に記載の発明では、前記鼓形ローラーの表面にはショットブラストが施されているものである。
【発明の効果】
【０００９】
請求項１の発明によれば、鼓形ローラーは、丸パイプの外面に対向する面が凸状で丸パイプと同径の円弧面となっており側面が丸パイプから遠ざかるように下方に窄まっている規制部材と丸パイプとの間で水平方向に微動可能な状態で上下動部材に支持され、丸パイプおよび規制部材の円弧面と同径の円弧面を備えているので、安価な丸パイプをスライドバーとして用いることができる。
【００１０】
請求項２の発明によれば、鼓形ローラーが、規制部材あるいは丸パイプに圧接したときの摩擦力を向上させることができ、鼓形ローラー、規制部材あるいは丸パイプにシャンプーなどの油脂成分が付着した滑り易い状態で、シャワーノズル受け装置に下方に向く力が加えられた場合に、シャワーノズル受け装置が不用意に動くことを防止することができる。
【図面の簡単な説明】
【００１１】
【図１】本発明の一実施の形態に係るシャワーノズル受け装置の斜視図である。
【図２】シャワーノズル受け装置の構成部品を示す斜視図である。
【図３】シャワーノズル受け装置の断面図である。
【図４】丸パイプ抱着部材の斜視図である。
【図５】上下動部材の斜視図である。
【図６】規制部材が設置された丸パイプ抱着部材の斜視図である。
【図７】上下動部材と鼓形ローラーとが装着された丸パイプ抱着部材の斜視図である。
【図８】丸パイプ抱着部材とシャワーノズル受け部材とが装着されたシャワーノズル受け装置本体の斜視図である。
【発明を実施するための形態】
【００１２】
本発明の一実施形態について図１〜図８に基づいて説明する。図１は本発明の一実施の形態に係るシャワーノズル受け装置１の斜視図である。図２はシャワーノズル受け装置１の構成部品を示す斜視図である。図３はシャワーノズル受け装置１の断面図である。図４は丸パイプ抱着部材４の斜視図である。図５は上下動部材７の斜視図である。図６は規制部材８が設置された丸パイプ抱着部材４の斜視図である。図７は上下動部材７と鼓形ローラー９とが装着された丸パイプ抱着部材４の斜視図である。図８は丸パイプ抱着部材４とシャワーノズル受け部材６とが装着されたシャワーノズル受け装置本体３の斜視図である。
【００１３】
シャワーノズル受け装置１は、浴室内に立設された丸パイプ２に沿って上下動可能に設けられるシャワーノズル受け装置本体３と、このシャワーノズル受け装置本体３に支持される一方の丸パイプ抱着部材４と、この丸パイプ抱着部材４に結合されて丸パイプ抱着部材４との間で丸パイプ２を抱着する他方の丸パイプ抱着部材５とを備える。シャワーノズル受け装置本体３の丸パイプ抱着部材４を支持する側とは反対側にはシャワーノズル受け部材６が設けられる。丸パイプ抱着部材４には、上下動部材７が上向きにばね付勢された状態で支持され、さらに鼓形ローラー９が当接する規制部材８が設けられる。鼓形ローラー９は、規制部材８を覆うように上下動部材７に設けられる。シャワーノズル受け装置本体３上面には操作ボタン１０が設けられる。操作ボタン１０は上下動部材７の上端に接して鼓形ローラー９を押し下げる。
【００１４】
シャワーノズル受け装置本体３は樹脂成型され、一方側に水平方向に開口した箱部１１を備える。箱部１１を形成する上部壁１２と下部壁１３とは開口部が円弧状に切欠かれている。上部壁１２には、操作ボタン１０が嵌め込まれる貫通孔１４が形成される。上部壁１２と下部壁１３とを連結する外周壁１５，１５は、箱部１１を形成する底部壁１９からさらに他方側に伸延している。上部壁１２の開口部下面側と下部壁１３の開口部上面側とには各々凹部１６，１７が形成されており、外周壁１５，１５の一方側端部には上下方向に細長な凸部１８，１８が形成されている。
【００１５】
丸パイプ抱着部材４は樹脂成型される。丸パイプ抱着部材４は、断面が半円状の円弧である円弧状壁部２０と、円弧状壁部２０の凸面側に突出して形成される平面部２１とを備える。平面部２１は丸パイプ２の軸心と平行に形成され、平面部２１の両側には上下方向に細長な凸状に形成された案内部２５，２５が設けられ、平面部２１下端他方側にはコイルばね２６の下端を支持するコイルばね受け部２７が形成される。平面部２１の裏面側には規制部材８を支持するためのリブ２３が形成される。円弧状壁部２０の凹面には、丸パイプ２が当接する上下方向に細長な凸部２２が適当間隔を置いて複数個所形成されており、円弧状壁部２０の中央部には孔部２４が設けられる。円弧状壁部２０の凹面端部には上下方向に溝部２８，２８が形成されている。
【００１６】
丸パイプ抱着部材５は樹脂成型され、断面が半円状の円弧である円弧状壁部３１を備える。円弧状壁部３１の凹面には上下方向に細長な凸部３３が適当間隔を置いて複数個所形成されており、凸部３３には丸パイプ２が当接する。円弧状壁部３１には、上下方向に位置する端部に沿って凸状に形成された細長な係合部３２，３２が設けられる。
【００１７】
上下動部材７は、上下方向に位置する平面部３６と、平面部３６の両側から水平方向に伸延した腕部３７，３７とを備える。腕部３７，３７の基端部には上下方向に溝部３８，３８が形成されており、溝部３８，３８には丸パイプ抱着部材４の案内部２５，２５が係合される。腕部３７，３７には水平方向に細長な長孔３９，３９が形成される。平面部３６の他方側には、操作ボタン１０が当接する上下方向に細長な操作ボタン受け部４０が平面部３６と一体的に形成される。操作ボタン受け部４０の下端には、コイルばね２６の上端を支持するコイルばね受け部４１が形成される。
【００１８】
規制部材８はステンレスの板材を曲げ加工して形成される。規制部材８は、断面が円弧状の当接壁４４と当接壁４４の端部から当接壁４４の凹面側に立ち上がった立ち上がり部４５，４５とを備える。
【００１９】
シャワーノズル受け部材６は樹脂成型される。シャワーノズル受け部材６には、図示しないシャワーノズルが支持される孔部４６が上下方向に形成される。孔部４６は、シャワーノズルホースの出し入れ可能とするために他方側に開口している。
【００２０】
鼓形ローラー９は、ステンレスを切削加工して形成される。鼓形ローラー９は、中央部が縮径された筒状に形成され、軸心を含んだ断面において丸パイプ２および規制部材８と同径の円弧を備える。鼓形ローラー９の端部には、上下動部材７の長孔３９，３９に係合する係合部４７，４７が形成される。
【００２１】
ここでシャワーノズル受け装置１の組み立て手順について説明する。丸パイプ抱着部材４の平面部２１の一方側の面に規制部材８が設置される。丸パイプ抱着部材４の平面部２１一方側の面にはリブ２３が斜めに傾いた状態で形成されており、規制部材８はリブ２３を覆うように設置され、上部が丸パイプ２に近付き斜めに傾いた状態とされる。
【００２２】
丸パイプ抱着部材４には、平面部２１を覆うように上下動部材７が設置される。上下動部材７は溝部３８，３８が丸パイプ抱着部材４の案内部２５，２５に係合した状態で設置される。このとき上下動部材７の腕部３７，３７は、丸パイプ抱着部材４の孔部２４に挿通している。丸パイプ抱着部材４の孔部２４に挿通した上下動部材７の腕部３７，３７の長孔３９，３９には、鼓形ローラー９が支持される。鼓形ローラー９は、係合部４７，４７が腕部３７，３７の長孔３９，３９に嵌め込まれて規制部材８を覆うように支持される。鼓形ローラー９は、長孔３９，３９に沿って水平方向に移動可能である。上下動部材７の押しボタン受け部４０下端のコイルばね受け部４１と、丸パイプ抱着部材４平面部２１下端の他方側に形成されたコイルばね受け部２７との間にコイルばね２６が設置される。
【００２３】
次に、丸パイプ抱着部材４がシャワーノズル受け装置本体３に支持される。丸パイプ抱着部材４の円弧状壁部２０の上端および下端に形成された凸部４８，４９が、シャワーノズル受け装置本体３の上部壁１２下面と下部壁１３上面とに形成された凹部１６，１７に係合される。さらに丸パイプ抱着部材４の円弧状壁部２０の凸面に形成された角型凹部５０，５０に、シャワーノズル受け装置本体３の外周壁内面に形成された不図示の鉤部が係合され、丸パイプ抱着部材４は、シャワーノズル受け装置本体３に係止される。
【００２４】
シャワーノズル受け装置本体３に係止された丸パイプ抱着部材４には、丸パイプ抱着部材５が支持される。丸パイプ抱着部材５は、凸面端部に形成された上下方向に細長な係合部３２，３２が、丸パイプ抱着部材４の円弧状壁部２０凹面端部に上下方向に形成された溝部２８，２８に係合する。係合部３２，３２は溝部２８，２８の下端開口部から上方に挿入されて係合される。
【００２５】
丸パイプ抱着部材４に丸パイプ抱着部材５が支持されたシャワーノズル受け装置本体３の一方側には、上部カバー部材５２と下部カバー部材５３とが取り付けられる。上部カバー部材５２と下部カバー部材５３とは、ともに樹脂製でメッキ処理されており、断面が円弧状の外周壁を備える。外周壁の端部内面には上下方向に細長な凹部５４，５４および５５，５５が形成されており、凹部５４，５４および５５，５５がシャワーノズル受け装置本体３の凸部１８，１８に係止される。上部カバー部材５２は凸部１８，１８の上方から嵌め込まれ、下部カバー部材５３は凸部１８，１８の下方から嵌め込まれる。
【００２６】
シャワーノズル受け装置本体３の他方側には、シャワーノズル受け部材６が外周壁に挟まれた状態で支持される。詳細な説明は省略するが、シャワーノズル受け部材６は樹脂成型され、支持板６１，６１によって水平方向の回動軸を中心として回動可能に支持される。なお、支持板６１，６１はカバー６２，６２によって覆われている。
【００２７】
上下動部材７に支持された鼓形ローラー９は、コイルばね２６のばね力によって上方に付勢されている。上方に付勢された鼓形ローラー９は長孔３９，３９に沿って水平方向に移動可能とされているので、斜めに傾いた規制部材８と、丸パイプ２との間に嵌り込んで丸パイプ２に圧接することができる。鼓形ローラー９には、切削加工によって丸パイプ２および規制部材８と同径の精密な円弧が形成されており、鼓形ローラー９は、丸パイプ２および規制部材８と面接触して大きな摩擦力を生じさせることができるので、丸パイプ２にシャワーノズル受け装置１を確実に係止させることができる。
使用者がシャワーノズル受け装置１に下方に向く力を不用意に加えた場合には、鼓形ローラー９が規制部材８と丸パイプ２とに面接触した状態で規制部材８の上部に食い込むので、シャワーノズル受け装置１が丸パイプ２に沿って下方に落下することを防止することができる。
【００２８】
使用者がシャワーノズル受け装置１を上方に移動させる場合には、シャワーノズル受け装置１に上方に向く力を加える。そうすると規制部材８の上部に食い込んだ鼓形ローラー９は、丸パイプ２から下方に向く摩擦力を受け、コイルばね２６のばね力に抗して下方に移動する。そして鼓形ローラー９は、規制部材８と丸パイプ２との間に嵌り込んだ状態が解除され下方に抜け出る。下方側に抜け出た鼓形ローラー９は、長孔３９，３９に沿って規制部材８側に移動可能となり、鼓形ローラー９と丸パイプ２との圧接が解除されるので、使用者は、操作ボタン１０を操作することなくシャワーノズル受け装置１を上方に移動させることができる。
【００２９】
使用者がシャワーノズル受け装置１を下げる場合には、シャワーノズル受け装置本体３の上部に設けられた操作ボタン１０を押す。操作ボタン１０を押して、コイルばね２６のばね力に抗して上下動部材７を下方に押圧すると、鼓形ローラー９は、規制部材８と丸パイプ２との間に嵌り込んで丸パイプ２に圧接した状態から下方側に抜け出す。下方側に抜け出た鼓形ローラー９は、長孔３９，３９に沿って規制部材８側に移動可能となり、鼓形ローラー９と丸パイプ２との圧接が解除される。使用者は、操作ボタン１０を押した状態でシャワーノズル受け装置１を下方に移動させることができる。なお、操作ボタン１０を押した状態でシャワーノズル受け装置１を上方に移動させることもできる。
【００３０】
なお、鼓形ローラー９が、規制部材８あるいは丸パイプ２に圧接したときの摩擦力を向上させるために、鼓形ローラー９の表面にショットブラストによる凹凸加工を施すこともできる。ショットブラストとして、たとえばサンドブラスト，アルミナブラストなどが施される。本実施の形態においてはサンドブラストが施され、カットワイヤーＳＵＳ３０４が用いられる。これによって、鼓形ローラー９、規制部材８あるいは丸パイプ２にシャンプーなどの油脂成分が付着した滑り易い状態で、シャワーノズル受け装置１に下方に向く力が加えられた場合に、シャワーノズル受け装置１が不用意に動くことを防止することができる。
【００３１】
測定結果の一例を以下に示す。鼓形ローラー９にサンドブラストを施しておらず、鼓形ローラー９、規制部材８あるいは丸パイプ２にシャンプーが付着していない場合には、シャワーノズル受け装置１は５ｋｇｆ以下の力では動かなかったが、鼓形ローラー９、規制部材８あるいは丸パイプ２にシャンプー（牛乳石鹸共進社製Ｂｏｕｎｃｉａ，ユニリーバ・ジャパン製ＤＯＶＥ）を付着させると、０．５ｋｇｆの力で僅かに動き、１ｋｇｆ〜２ｋｇｆの力で滑った。ところが鼓形ローラー９にサンドブラストを施した状態で、鼓形ローラー９、規制部材８あるいは丸パイプ２にシャンプーを付着させた場合には、５ｋｇｆ以下の力では動かなかった。
【００３２】
このように、シャワーノズル受け装置１は、浴室内に立設された丸パイプ２に沿って上下動可能に設けられ、シャワーノズル受け装置本体３と、このシャワーノズル受け装置本体３に支持される一方の丸パイプ抱着部材４と、この一方の丸パイプ抱着部材４に結合され一方の丸パイプ抱着部材４との間で丸パイプ２を抱着する他方の丸パイプ抱着部材５と、シャワーノズル受け装置本体３に丸パイプ抱着部材４の支持部とは反対側に支持されるシャワーノズル受け部材６と、一方の丸パイプ抱着部材４にコイルばね２６により上向きに付勢されるように取り付けられた上下動部材７と、一方の丸パイプ抱着部材４に取り付けられ丸パイプ２の外面に対向する面が凸状で丸パイプ２と同径の円弧状の面となっており側面が丸パイプ２から遠ざかるように下方に窄まっている規制部材８と、上下動部材７に規制部材８と丸パイプ２との間で水平方向に微動可能に支持され丸パイプ２および規制部材８の円弧状の面と同径の円弧状の面を備えた鼓形ローラー９と、シャワーノズル受け装置本体３上面から突出するように設けられ上下動部材７の上端に接して上下動部材７および鼓形ローラー９をばね力に抗して押し下げる操作ボタン１０とを備え、ばね付勢された鼓形ローラー９が規制部材８の上部に位置している状態において鼓形ローラー９が規制部材８と丸パイプ２に圧接してシャワーノズル受け装置本体３の下方への動きが止められるように構成されているので、鼓形ローラー９は、規制部材８と丸パイプ２との間で水平方向に微動可能な状態で上下動部材７に支持され、丸パイプ２および規制部材８の円弧状の面と同径の円弧状の面を備えているので、スライドバーとして安価な丸パイプ２を用いることができる。
【００３３】
さらに、鼓形ローラーの表面にはショットブラストが施されているので、鼓形ローラー９が、規制部材８あるいは丸パイプ２に圧接したときの摩擦力を向上させて、鼓形ローラー９、規制部材８あるいは丸パイプ２にシャンプーなどの油脂成分が付着した滑り易い状態で、シャワーノズル受け装置１に下方に向く力が加えられた場合に、シャワーノズル受け装置１が不用意に動くことを防止することができる。
【符号の説明】
【００３４】
１    シャワーノズル受け装置  
２    丸パイプ
３    シャワーノズル受け装置本体
４，５    丸パイプ抱着部材
６    シャワーノズル受け部材
７    上下動部材
８    規制部材
９    鼓形ローラー
１０    操作ボタン
１１    箱部
１２    上部壁
１３    下部壁
１４    貫通孔
１５    外周壁
１６，１７，５４，５５    凹部
１８，２２，３３，４８，４９    凸部
１９    底部壁
２０    円弧状壁部
２１    平面部
２３    リブ
２４，４６    孔部
２５    案内部
２６    コイルばね
２７    コイルばね受け部
２８，３８    溝部
３１    円弧状壁部
３２    係合部
３６    平面部
３７    腕部
３９    長孔
４０    操作ボタン受け部
４１    コイルばね受け部
４４    当接壁
４５    立ち上がり部
４７    係合部
５０    角型凹部
５２    上部カバー部材
５３    下部カバー部材
６１    支持板
６２    カバー
【図１】
2014084635.tif 000003
【図２】
2014084635.tif 000004
【図３】
2014084635.tif 000005
【図４】
2014084635.tif 000006
【図５】
2014084635.tif 000007
【図６】
2014084635.tif 000008
【図７】
2014084635.tif 000009
【図８】
2014084635.tif 000010